(57)【特許請求の範囲】
【請求項１】
円筒状の外部材（１）の内部に円筒状の内部材（２）を挿入し、前記外部材（１）の内面と前記内部材（２）の外面とを固着させる筆記具用部品の連結構造であって、前記外部材（１）の内面と前記内部材（２）の外面との間に、係止凸部（３１）と係止凹部（３２）とからなる係止機構（３）と、挿入時の回転を規制するガイド突起（４１）とガイド溝（４２）とからなるガイド機構（４）とを、軸方向の同一直線上にない位置に設け、前記ガイド突起（４１）と前記ガイド溝（４２）とが摺動作用を開始した後、係止凸部（３１）と係止凹部（３２）とが係合し、前記係止凸部（３１）又は前記係止凹部（３２）を備える側壁の、前記係止凸部（３１）又は前記係止凹部（３２）と軸方向の同一直線上にない位置の、前記係止凸部（３１）又は前記係止凹部（３２）の上方及び下方に軸方向に延びる長孔（５）を径方向に貫設し、前記側壁が径方向の可撓性を備え、前記長孔（５）が前記ガイド溝（４２）と連通するか、または、前記長孔（５）が前記ガイド溝（４２）を兼ねることを特徴とする筆記具用部品の連結構造。
【請求項２】
前記内部材（２）の外面に、前記係止凸部（３１）を設けると共に、前記係止凸部（３１）と軸方向の同一直線上にない位置に軸方向に延びる前記ガイド溝（４２）を設け、一方、前記外部材（１）の内面に、前記係止凸部（３１）と係合可能な前記係止凹部（３２）を設けると共に、前記ガイド溝（４２）と摺動可能な前記ガイド突起（４１）を設けたことを特徴とする請求項１記載の筆記具用部品の連結構造。
【請求項３】
前記内部材（２）の外面に、前記係止凹部（３２）を設けると共に、前記係止凹部（３２）と軸方向の同一直線上にない位置に前記ガイド突起（４１）を設け、一方、前記外部材（１）の内面に、前記係止凹部（３２）と係合可能な前記係止凸部（３１）を設けると共に、前記ガイド突起（４１）が摺動可能な軸方向に延びる前記ガイド溝（４２）を設けたことを特徴とする請求項１記載の筆記具用部品の連結構造。
【請求項４】
前記内部材（２）の外面に、前記係止凹部（３２）を設けると共に、前記係止凹部（３２）と軸方向の同一直線上にない位置に軸方向に延びる前記ガイド溝（４２）を設け、一方、前記外部材（１）の内面に、前記係止凹部（３２）と係合可能な前記係止凸部（３１）を設けると共に、前記ガイド溝（４２）と摺動可能な前記ガイド突起（４１）を設けたことを特徴とする請求項１記載の筆記具用部品の連結構造。
【請求項５】
前記内部材（２）の外面に、前記係止凸部（３１）を設けると共に、前記係止凸部（３１）と軸方向の同一直線上にない位置に前記ガイド突起（４１）を設け、一方、前記外部材（１）の内面に、前記係止凸部（３１）と係合可能な前記係止凹部（３２）を設けると共に、前記ガイド突起（４１）が摺動可能な軸方向に延びる前記ガイド溝（４２）を設けたことを特徴とする請求項１記載の筆記具用部品の連結構造。
【請求項６】
前記ガイド突起（４１）が挿入される前記ガイド溝（４２）の開口端に、挿入時の前記ガイド突起（４１）を前記ガイド溝（４２）へ導く傾斜面（４３）を設けた請求溝１〜５のいずれかに記載の筆記具用部品の連結構造。
【発明の詳細な説明】
【０００１】
【発明の属する技術分野】
本発明は、筆記具用部品の連結構造に関する。
【０００２】
尚、本発明で、外部材において、「下」とは内部材が挿入される開口端側を指し、一方、「上」とはその反対側を指す。また、内部材において、「上」とは外部材内に挿入される挿入端側を指し、一方、「下」とはその反対側を指す。
【０００３】
【従来の技術】
従来、筆記具用部品の連結構造に関するものとして、内部材の外面と外部材の内面とを、その間に設けた係止凸部と係止凹部とにより係合固定してなる構成が、例えば、実公平６−４６７１７号公報、あるいは実公平５−２１４３５号公報等に開示されている。前記の連結構造は、係合した後の脱落防止効果はあるとしても、係止凸部と係止凹部を係合させる際、前記係止凸部と係止凹部の円周方向の位置にずれがある場合、その円周方向の位置を合わせる必要があり、組立作業の効率を低下させてしまう。
【０００４】
また、実用新案登録第２５５２１３４号公報には、挿入組立過程で係止凸部と係止凹部が係合する前に、円周方向の位置ずれを補正するために、係止凸部と摺動するガイド溝を設けた着脱自在の連結構造が開示されている。ところが、前記連結構造は、係止凸部が本発明のガイド突起を兼ねる構成である。即ち、係止凸部と係止凹部とからなる係止機構と、ガイド突起とガイド溝とからなるガイド機構が、軸方向の同一直線上にある。そのため、構造が複雑となり製造上不利となるばかりか、係止機能やガイド機能を重視した形状や寸法の自由な設定が困難となる。例えば、係止凸部と係止凹部との径方向の係合量や、ガイド突起とガイド溝との径方向の係合量を、大きく自由に設定することが困難となる。それにより、係合機能やガイド機能が不安定となり、係止凸部と係止凹部の係合が容易に外れてしまったり、ガイド突起がガイド溝以外の箇所に食いついてしまうおそれがある。
【０００５】
【発明が解決しようとする課題】
本発明の課題は、構造を複雑にせず簡易な構造にして、内部材及び外部材とを強固に固定すると共に、挿入組立時の円周方向の位置ずれを容易に修正可能にして、挿入組立を円滑にし、その作業効率を向上させることにある。
【０００６】
【課題を解決するための手段】
［１］請求項１の発明は、円筒状の外部材１の内部に円筒状の内部材２を挿入し、前記外部材１の内面と前記内部材２の外面とを固着させる筆記具用部品の連結構造であって、前記外部材１の内面と前記内部材２の外面との間に、係止凸部３１と係止凹部３２とからなる係止機構３と、挿入時の円周方向の移動を規制するガイド突起４１とガイド溝４２とからなるガイド機構４とを、軸方向の同一直線上にない位置に設け、挿入組立時、前記ガイド突起４１と前記ガイド溝４２とが摺動作用を開始した後、係止凸部３１と係止凹部３２とが係合し、前記係止凸部３１又は前記係止凹部３２を備える側壁の、前記係止凸部３１又は前記係止凹部３２と軸方向の同一直線上にない位置の、前記係止凸部３１又は前記係止凹部３２の上方及び下方に軸方向に延びる長孔５を径方向に貫設し、前記側壁が径方向の可撓性を備え、前記長孔５が前記ガイド溝４２と連通するか、または、前記長孔５が前記ガイド溝４２を兼ねることを特徴とする。（図１〜図１７参照）
【０００７】
前記連結構造は、内部材２と外部材１の挿入組立過程において、ガイド突起４１とガイド溝４２が摺動を開始し、その後、係止凸部３１と係止凹部３２とが係合する。そのため、内部材２と外部材１が係合する前に、両者の係合箇所の円周方向の位置ずれが補正され、確実且つ容易な係止凸部３１と係止凹部３２の係合が可能となる。
【０００８】
また、係止機構３とガイド機構４とを、軸方向の同一直線上にない位置に設けたことにより、係合機能以外のガイド機能に係止凸部３１を用いることなく、係止凸部３１とガイド突起４１とを独立して設けることができる。例えば、係止凸部３１と係止凹部３２との径方向の係合量や、ガイド突起４１とガイド溝４２との径方向の係合量を、自由に大きく設定することができる。それにより、係止機構３（係止凸部３１と係止凹部３２）の十分に強固な係合機能と、挿入時の十分な位置ずれ修正機能（ガイド機能）が同時に満足される。
前記筆記具用部品の連結構造は、前記係止凸部３１又は前記係止凹部３２を備える側壁に、前記係止凸部３１又は前記係止凹部３２の上及び下位置に軸方向に延びる長孔５を径方向に貫設し、前記側壁が径方向の可撓性を備える。即ち、係止凸部３１又は係止凹部３２を有する側壁が、長孔５によって、可撓性を備えることができ、径方向の弾性変形が容易となり、係止凸部３１と係止凹部３２の係合時の挿入力を軽減でき、僅かの挿入力でスムーズに係合させることが可能となる。そのため、過大な挿入力を加えることがないため、係止凸部３１及び係止凹部３２を損傷させることが防止される。
また、本発明において、前記長孔５は、ガイド溝４２と連通する構成（図１のタイプ）、あるいはガイド溝４２を兼ねる構成（図６のタイプ、図１０のタイプ、図１４のタイプ）である。特に、前記構成（即ち、ガイド溝４２と長孔５とが同一直線上になる構成）にすることにより、ガイド機構４のガイド溝４２と、可撓性付与のための長孔５とを設けるために、側壁に多数本の溝やスリットを設ける必要がなく、簡易な構造にすることができる。
【０００９】
前記係止機構３及び前記ガイド機構４を構成する係止凸部３１、係止凹部３２、ガイド突起４１、及びガイド溝４２は、内部材２の外面、内部材２の内面、外部材１の外面、外部材１の内面のいずれに設けてもよく、その組み合わせパターンとしては、以下の４種類（請求項２、請求項３、請求項４、請求項５）が挙げられる。
【００１０】
［２］前記連結構造（請求項１）の例としては、前記内部材２の外面に、前記係止凸部３１を設けると共に、前記係止凸部３１と軸方向の同一直線上にない位置に軸方向に延びる前記ガイド溝４２を設け、一方、前記外部材１の内面に、前記係止凸部３１と係合可能な前記係止凹部３２を設けると共に、前記ガイド溝４２と摺動可能な前記ガイド突起４１を設けた構成（請求項２）が挙げられる。（図１〜図５参照）
【００１１】
［３］また、前記連結構造（請求項１）の例としては、前記内部材２の外面に、前記係止凹部３２を設けると共に、前記係止凹部３２と軸方向の同一直線上にない位置に前記ガイド突起４１を設け、一方、前記外部材１の内面に、前記係止凹部３２と係合可能な前記係止凸部３１を設けると共に、前記ガイド突起４１が摺動可能な軸方向に延びる前記ガイド溝４２を設けた構成（請求項３）が挙げられる。（図６〜図９参照）
【００１２】
［４］また、前記連結構造（請求項１）の例としては、前記内部材２の外面に、前記係止凹部３２を設けると共に、前記係止凹部３２と軸方向の同一直線上にない位置に軸方向に延びる前記ガイド溝４２を設け、一方、前記外部材１の内面に、前記係止凹部３２と係合可能な前記係止凸部３１を設けると共に、前記ガイド溝４２と摺動可能な前記ガイド突起４１を設けた構成（請求項４）が挙げられる。（図１０〜図１３参照）
【００１３】
［５］また、前記連結構造（請求項１）の例としては、前記内部材２の外面に、前記係止凸部３１を設けると共に、前記係止凸部３１と軸方向の同一直線上ににない位置に前記ガイド突起４１を設け、一方、前記外部材１の内面に、前記係止凸部３１と係合可能な前記係止凹部３２を設けると共に、前記ガイド突起４１が摺動可能な軸方向に延びる前記ガイド溝４２を設けた構成（請求項５）が挙げられる。（図１４〜図１７参照）
【００１４】
［６］請求項６のように、前記筆記具用部品の連結構造は、ガイド溝４２が、内部材２の挿入端方向または外部材１の開口端方向に開口する開口端を備え、前記ガイド突起４１が挿入される前記ガイド溝４２の開口端に、挿入時の前記ガイド突起４１を前記ガイド溝４２へ導く傾斜面４３（カム面）を設けたことが好ましい。それにより、外部材１と内部材２との円周方向の位置ずれを補正するために、円周方向の力を加えることがほとんど不要となり、軸方向の押圧力を加えるだけで、係止凸部３１と係止凹部３２の係合以前に、ガイド突起４１と傾斜面４３が当接して、自動的に円周方向の位置ずれが補正される。即ち、より一層、挿入組立が容易となる。また、前記傾斜面４３は、ガイド溝４２の開口端の両側の内面から、内部材２の挿入端方向または外部材１の開口端方向へ、拡がる形状であることが好ましい。
【００１５】
【００１６】
【００１７】
また、本発明において、前記係止凸部３１及び係止凹部３２の個数は、単数でもよいが、複数（２個以上）でもよい。また、安定した係合が維持できる点、及び、円周方向の位置ずれを補正するのに、その補正量が少なくて済む点から、複数が好ましい。
【００１８】
また、本発明において、前記傾斜面４３を設ける位置は、内部材２（図１及び図１０のタイプ）では係止機構３（係止凸部３１または係止凹部３２）よりも上方位置（挿入端側）が好ましく、外部材１（図６及び図１４のタイプ）では係止機構３（係止凸部３１または係止凹部３２）よりも下方位置（開口端側）が好ましい。それにより、外部材１と内部材２の挿入組立過程で、係止凸部３１と係止凹部３２が係合する以前に、ガイド突起４１とガイド溝４２が摺動して、周方向の位置ずれが修正される。
【００１９】
また、本発明において、前記傾斜面４３は、複数のガイド溝４２が形成される場合、内部材の挿入端側の内面若しくは外面、または外部材の開口端側の内面若しくは外面に、尖った頂部を形成するよう連接する構成が好ましい。それにより、挿入組立時、ガイド突起４１と傾斜面４３とが確実に当接するため、回転方向の力を全く加える必要がなく、軸方向の挿入力を加えるだけで、回転方向の位置ずれが補正され、係止凸部３１と係止凹部３２の係合がなされる。
【００２０】
また、本発明において、係止凸部３１の、内部材２の挿入端側または外部材１の開口端側の表面に、面取り状の傾斜面３１ａを設けることが好ましい。それにより、係止凸部３１と外部材１の開口端との当接、または係止凸部３１と内部材２の挿入端との当接が緩められ、係止凸部３１を有する側壁が容易に径方向内方へ変形され、内部材２を外部材１内へ引っ掛かることなくスムーズに挿入することができる。
【００２１】
【発明の実施の形態】
以下に本発明の実施の形態を図面に従って説明する。
【００２２】
（実施例１）
実施例１を図１〜図５に示す。
外部材１は、下端が開口された合成樹脂製の円筒体である。前記外部材１の側壁には、２個の円形状の孔（係止凹部３２）が、軸線と互いに対称な位置に貫設されている。また、前記外部材１の内面には、軸方向に延びる２本のガイド突起４１が、軸線と互いに対称な位置に突設される。前記ガイド突起４１は、前記係止凹部３２と円周方向に１／４回転（即ち９０度）ずらした位置にあり、また、前記ガイド突起４１の下端は、前記係止凹部３２の上下方向の同一位置にある。
【００２３】
内部材２は、上端が開口された合成樹脂製の円筒体である。前記内部材２の側壁の外面には、２個の係止凸部３１が、軸線と互いに対称な位置に突設されている。前記係止凸部３１は、前記外部材１内に抵抗なく円滑に挿入できるよう、挿入端側に面取り状の傾斜面３１ａを有する円柱状突起である。
【００２４】
さらに、前記内部材２の側壁の、前記係止凸部３１と円周方向に１／４周（即ち９０度）ずらした位置には、軸方向に延びる２本の長孔５が軸線に対して対称位置に貫設され、それにより、係止凸部３１を有する側壁に、径方向の可撓性が付与される。また、係止凸部３１を有する側壁は小径円筒状の連結部６により連結され、それにより、係止凸部３１を有する側壁の径方向の弾力性が強く調節される。
【００２５】
また、前記内部材２の側壁外面には、上方（挿入端方向）に開口する軸方向に延びるガイド溝４２が設けられる。前記ガイド溝４２の開口端は、前記ガイド溝４２内面の両側と連接し、且つ上方に向かい広がる傾斜面４３を備える。前記傾斜面４３によって、挿入時の前記ガイド突起４１が前記ガイド溝４２内へ導かれる。
【００２６】
前記ガイド溝４２の開口端（即ち傾斜面４３）の位置は、係止凸部３１より上方（挿入端側）である。それにより、挿入組立時、係止凸部３１と係止凹部３２の係合する以前に、ガイド突起４１が傾斜面４３と当接し、ガイド溝４２と摺動を開始する。そのため、係止凸部３１と係止凹部３２の係合以前に周方向の位置ずれが修正される。
【００２７】
また、前記長孔５と前記ガイド溝４２とは連通し（即ち、同一直線上にあり）、係止凸部３１と係止凹部３２の係合後は、ガイド突起４１の下端部を収容する。
【００２８】
（実施例２）
実施例２を図６〜図９に示す。
内部材２は、上端が開口された合成樹脂製の円筒体である。前記内部材２の側壁には、２個の係止凹部３２が、互いに軸線と対称位置に貫設される。さらに、前記内部材２の側壁外面の前記係止凹部３２と円周方向に１／４回転（即ち９０度）ずらした上方の位置には、２個の略円柱状のガイド突起４１が、軸線と対称位置に設けられている。
【００２９】
外部材１は、下端が開口された合成樹脂製の円筒体である。前記外部材１の内面には、前記係止凹部３２と係合可能な２個の係止凸部３１（開口端側に面取り状傾斜面３１ａを備えた略円柱状突起）が、互いに軸線と対称位置に突設される。さらに、前記外部材１の側壁には、前記係止凸部３１と円周方向に１／４周（即ち９０度）ずらした位置に、軸方向に延び且つ下端より開口するガイド溝４２が貫設されている。前記ガイド溝４２の開口端には、前記ガイド溝４２の内面両側と連接し、且つ開口端方向に向かい拡がる傾斜面４３が形成されている。
【００３０】
（実施例３）
実施例３を図１０〜図１３に示す。
内部材２は、上端が開口された合成樹脂製の円筒体である。前記内部材２の側壁には、軸線と互いに対称位置に２個の円形状の孔（係止凹部３２）が貫設されている。さらに、前記係止凹部３２と円周方向に１／４周（即ち９０度）ずらした位置に、軸方向に延び且つ上端より開口するガイド溝４２が貫設されている。前記ガイド溝４２の開口端には、前記ガイド溝４２の内面両側と連接し、且つ挿入端方向に向かい拡がる傾斜面４３が形成されている。
【００３１】
外部材１は、下端が開口された合成樹脂製の円筒体である。前記外部材１の内面には、前記係止凹部３２と係合可能な２個の係止凸部３１（開口端側に面取り状の傾斜面３１ａを備えた略円柱状の突起）が互いに軸線と対称位置に形成される。さらに、前記外部材１の側壁内面には、前記係止凸部３１と円周方向に１／４回転（即ち９０度）ずらした下方の位置に、前記ガイド溝４２と摺動可能な２個の略円柱状のガイド突起４１が、互いに軸線と対称位置に形成されている。
【００３２】
（実施例４）
実施例４を図１４〜図１７に示す。
内部材２は、上端が開口された合成樹脂製の円筒体である。前記内部材２の側壁外面には、２個の係止凸部３１（挿入端側に面取り状傾斜面３１ａを備えた略円柱状の突起）が、互いに軸線と対称位置に形成されている。さらに、前記係止凸部３１と円周方向に１／４周（即ち９０度）ずらした上方の位置に、２個の略円柱状のガイド突起４１が、軸線と互いに対称位置に形成される。
【００３３】
外部材１は、下端が開口された合成樹脂製の円筒体である。前記外部材１の側壁には、前記係止凸部３１と係合可能な２個の円形状の孔（係止凹部３２）が互いに軸線と対称位置に貫設される。さらに、前記係止凹部３２と円周方向に１／４回転（即ち９０度）ずらした位置に、前記ガイド突起４１が摺動可能な軸方向に延び且つ下端より開口するガイド溝４２が貫設されている。前記ガイド溝４２の開口端には、前記ガイド溝４２の両側内面と連接し、且つ下端方向に向かい拡がる傾斜面４３が形成されている。
【００３４】
尚、本発明において、内部材２、外部材１を構成する材質は、可撓性を付与できればよく、合成樹脂の他にも、金属でもよい。
【００３５】
尚、本発明において、係止凹部３２は、軸方向のガタが防止できる点で、係止凹部３２は、係止凸部３１が上下方向に係止する構成が好ましいが、これ以外にも、係止凹部３２の形状は、挿入端側または開口端側のみに係止壁部を備え、他方は開口する構成でもよい。
【００３６】
尚、本発明において、前記外部材１は、少なくとも、一端部の形状が係止機構３及びガイド機構４を備えた開口を有する円筒状であればよく、他端部はいかなる形状であってもよい。
【００３７】
尚、本発明において、前記内部材２の形状の円筒状とは、内部が中空の形状に限定されず、中実の円柱状であってもよい。
【００３８】
尚、本発明の筆記具用部品とは、筆記具（塗布具、化粧具を含む）に適用される部材ならばいずれであってもよく、特に、気密嵌合を必要としない部品との固着が最適である。前記気密嵌合を必要としない筆記具用部品とは、例えば、キャップ頂部に固着される頭冠、軸筒尾端に固着される尾冠、ノック式筆記具におけるノックボタン、軸筒の把持部に固着される弾性体等よりなるグリップ、軸筒尾端またはキャップ頂部に固着されるクリップ、その他装飾要素等を挙げることができる。
【００３９】
【発明の効果】
請求項１、２、３、４、５の発明によれば、構造を複雑にせず簡易な構造で、内部材及び外部材との連結を強固にでき、さらに、挿入組立時の円周方向の位置ずれを容易に修正でき、挿入組立を円滑にし、作業効率が向上する。また、請求項１、２、３、４、５の発明によれば、係止突起又は係止凹部を有する側壁が、長孔によって可撓性が付与され、径方向の弾性変形が容易となる。それにより、係合時の挿入力を軽減でき、僅かの挿入力でスムーズに係合させることが可能となる。その上、過大な挿入力を加えることがないため、係止凸部及び係止凹部を損傷させることが防止される。また、請求項１、２、３、４、５の発明によれば、長孔がガイド溝と連通するか、または、長孔がガイド溝を兼ねることにより、ガイド機構のガイド溝と、可撓性付与のための長孔とを設けるために、側壁に多数本の溝やスリットを設ける必要がなく、簡易な構造にすることができる。
【００４０】
請求項６の発明によれば、外部材と内部材との円周方向の位置ずれ補正をするために、円周方向の力を加えることがほとんど不要となり、軸方向の押圧力を加えるだけで、係止凸部と係止凹部の係合以前に、ガイド突起と傾斜面が当接して、自動的に円周方向の位置ずれが補正される。その結果、より一層、挿入組立の作業効率が向上する。
【００４１】
【図面の簡単な説明】
【図１】本発明の実施例１の連結前の状態を示す図であり、（ａ）は外部材の開口端側を示す図、（ｂ）は内部材の挿入端側を示す図である。
【図２】図１の縦断面図であり、（ａ）は外部材の開口端側を示す図、（ｂ）は内部材の挿入端側を示す図である。
【図３】本発明の実施例１の連結後の状態を示す図である。
【図４】図３のＡ−Ａ線断面図である。
【図５】図３のＢ−Ｂ線断面図である。
【図６】本発明の実施例２の連結前の状態を示す図であり、（ａ）は外部材の開口端側を示す図、（ｂ）は内部材の挿入端側を示す図である。
【図７】本発明の実施例２の連結後の状態を示す図である。
【図８】図７のＣ−Ｃ線断面図である。
【図９】図７のＤ−Ｄ線断面図である。
【図１０】本発明の実施例３の連結前の状態を示す図であり、（ａ）は外部材の開口端側を示す図、（ｂ）は内部材の挿入端側を示す図である。
【図１１】本発明の実施例３の連結後の状態を示す図である。
【図１２】図１１のＥ−Ｅ線断面図である。
【図１３】図１１のＦ−Ｆ線断面図である。
【図１４】本発明の実施例４の連結前の状態を示す図であり、（ａ）は外部材の開口端側を示す図、（ｂ）は内部材の挿入端側を示す図である。
【図１５】本発明の実施例４の連結後の状態を示す図である。
【図１６】図１５のＧ−Ｇ線断面図である。
【図１７】図１５のＨ−Ｈ線断面図である。
【符号の説明】
１ 外部材
２ 内部材
３ 係止機構
３１ 係止凸部
３１ａ 面取り状傾斜面
３２ 係止凹部
４ ガイド機構
４１ ガイド突起
４２ ガイド溝
４３ 傾斜面
５ 長孔
【図１】
0004203153.tif 000002
【図２】
0004203153.tif 000003
【図３】
0004203153.tif 000004
【図４】
0004203153.tif 000005
【図５】
0004203153.tif 000006
【図６】
0004203153.tif 000007
【図７】
0004203153.tif 000008
【図８】
0004203153.tif 000009
【図９】
0004203153.tif 000010
【図１０】
0004203153.tif 000011
【図１１】
0004203153.tif 000012
【図１２】
0004203153.tif 000013
【図１３】
0004203153.tif 000014
【図１４】
0004203153.tif 000015
【図１５】
0004203153.tif 000016
【図１６】
0004203153.tif 000017
【図１７】
0004203153.tif 000018